(57)【要約】【課題】  ダウンロードしたいディジタルコンテンツを保存できるか否かが簡単に確認できる、ダウンロード機能を有する電子音楽装置を提供する。【解決手段】  ディジタルコンテンツ名と、ディジタルコンテンツ記憶領域検査機能部を起動するためのボタン３ｂ、ディジタルコンテンツをダウンロードするボタン３ｆを含んだダウンロードページ３ａの情報を、Webサーバー３から取得し、図２（ａ）に示す画面を表示させる。ユーザーがボタン３ｂを選択すると、内蔵記憶装置５および外付け記憶装置６の空き容量が検査されて、図２（ｂ）に示す画面が表示される。１１は記憶領域（容量，ファイル数）検査画面である。ユーザーがボタン３ｃを選択すると、Webサーバー３にアクセスして、コンテンツ・データベース４に蓄積された所望のディジタルコンテンツを取得し、内蔵記憶装置５または外付け記憶装置６に記憶させる。【選択図】図２
2005195923.tif 000002
【特許請求の範囲】
【請求項１】
Webサーバーからダウンロードするディジタルコンテンツを特定する情報、および、起動要求検出用の表示部品を含んだダウンロードページの情報を、前記Webサーバーから取得し、該ダウンロードページをディスプレイに表示させる表示制御手段と、
当該電子音楽装置に内蔵およびまたは外付けされた記憶装置におけるディジタルコンテンツ記憶領域の空き容量およびまたは空きファイル数を検査し、前記ディスプレイに表示させる記憶領域検査手段と、
前記表示制御手段により表示された表示部品がユーザーにより選択操作されたときは、前記記憶領域検査手段を起動させる起動制御手段、
を有することを特徴とするダウンロード機能を有する電子音楽装置。
【請求項２】
前記ダウンロードするディジタルコンテンツのデータ容量およびまたはファイル数を、前記Webサーバーから取得するディジタルコンテンツ属性取得手段を有し、
前記記憶領域検査手段は、前記ディジタルコンテンツ属性取得手段により取得される前記ダウンロードするディジタルコンテンツのデータ容量およびまたはファイル数を前記検査結果と比較することにより、前記ダウンロードするディジタルコンテンツのダウンロードが可能か否かを判定し、判定結果を前記ディスプレイに表示させる、
ことを特徴とする請求項１に記載のダウンロード機能を有する電子音楽装置。
【請求項３】
Webサーバーからダウンロードするディジタルコンテンツを特定する情報、および、起動要求検出用の表示部品を含んだダウンロードページを表示するステップと、
表示されている前記表示部品がユーザーにより選択操作されたときに、前記表示部品にリンクされた記憶領域検査用ファイルを前記Webサーバーからダウンロードするステップと、
前記記憶領域検査用ファイルのダウンロードに応じて、前記記憶領域検査用ファイルに関連づけられた記憶領域検査プログラムを実行するステップと、
前記記憶領域検査プログラムによって検査された当該電子音楽装置に内蔵およびまたは外付けされた記憶装置におけるディジタルコンテンツ記憶領域の空き容量およびまたは空きファイル数を表示するステップと、
を有することを特徴とする電子音楽装置における記憶領域検査方法。
【発明の詳細な説明】
【技術分野】
【０００１】
本発明は、ネットワークに接続して、Webサーバーから曲データなどのディジタルディジタルコンテンツをダウンロードするダウンロード機能を有する電子音楽装置および電子音楽装置における記憶領域検査方法に関するものである。
【背景技術】
【０００２】
従来の電子音楽装置がサーバーから曲データをダウンロードするには、この電子音楽装置をケーブルでパーソナルコンピュータに接続し、このパーソナルコンピュータから、インターネットを経由して、Webサーバーにアクセスし、SMF（Standard Musical Instrument Digital Interface File）などの曲データをダウンロードていた。しかし、最近では、電子音楽装置自体にネットワーク接続機能を持たせて、Webサーバーにアクセスし、曲データ等のディジタルコンテンツをダウンロードすることが検討されている。
ところが、電子音楽装置は、パーソナルコンピュータのような大容量の記録装置を必ずしも備えていない。従って、ディジタルコンテンツのダウンロードを失敗する可能性が無視できなかった。その結果、再ダウンロードの操作ができるようにディジタルコンテンツ提供サービスを構築する必要があった。特に、ダウンロード前に課金処理をする場合に問題があった。
【０００３】
従来、電子音楽装置が、外付けされた記憶装置（RAMパック）の記憶容量を検査した後に、この記憶容量に応じて演奏データを転送することが知られている（特許文献１参照）。
しかし、上述した従来技術による記憶容量の検査は、電子音楽装置からこの電子音楽装置に着脱自在にされた記憶装置への転送に関するものである。また、セーブスイッチを操作して転送する際に、はじめて記憶容量を検査するものである。また、記憶装置の規格容量を検査するだけであり、これから記憶可能な空き容量を検査するものではない。
従って、Webサーバーからダウンロードしようとするディジタルコンテンツが、ディジタルコンテンツを記憶するために用意されている記憶領域に記憶可能か否かを検査するものではなかった。
【０００４】
このような記憶容量検査を実行するには、これを単独の機能とし、ダウンロードに先立って記憶容量を検査可能にすることが考えられる。その場合、ディジタルコンテンツのダウンロード画面を一旦閉じて、記憶容量検査を実行するプログラムを起動し、記憶容量検査の画面を表示させる等の煩雑な操作が必要である。
従って、ダウンロードすべきディジタルコンテンツが記憶可能か否かを簡単に判断することができない。
【０００５】
【特許文献１】特公平０６−９０６１７
【発明の開示】
【発明が解決しようとする課題】
【０００６】
本発明は、上述した問題点を解決するためになされたもので、ダウンロードしたいディジタルコンテンツが保存できるか否かを簡単に確認できる、ダウンロード機能を有する電子音楽装置および電子音楽装置における記憶領域検査方法を提供することを目的とするものである。
【課題を解決するための手段】
【０００７】
本発明は、請求項１に記載の発明においては、ダウンロード機能を有する電子音楽装置において、Webサーバーからダウンロードするディジタルコンテンツを特定する情報、および、起動要求検出用の表示部品を含んだダウンロードページの情報を、前記Webサーバーから取得し、該ダウンロードページをディスプレイに表示させる表示制御手段と、当該電子音楽装置に内蔵およびまたは外付けされた記憶装置におけるディジタルコンテンツ記憶領域の空き容量およびまたは空きファイル数を検査し、前記ディスプレイに表示させる記憶領域検査手段と、前記表示制御手段により表示された表示部品がユーザーにより選択操作されたときは、前記記憶領域検査手段を起動させる起動制御手段を有するものである。
従って、ディジタルコンテンツのダウンロードページを表示させた状態から、直ちに、電子音楽装置に内蔵およびまたは外付けされた記憶装置におけるディジタルコンテンツ記憶領域の空き容量およびまたは空きファイル数を検査することができるから、ダウンロードが可能か否かを簡単に確認できる。
【０００８】
請求項２に記載の発明においては、請求項１に記載のダウンロード機能を有する電子音楽装置において、前記ダウンロードするディジタルコンテンツのデータ容量およびまたはファイル数を、前記Webサーバーから取得するディジタルコンテンツ属性取得手段を有し、前記記憶領域検査手段は、前記ディジタルコンテンツ属性取得手段により取得される前記ダウンロードするディジタルコンテンツのデータ容量およびまたはファイル数を前記検査結果と比較することにより、前記ダウンロードするディジタルコンテンツのダウンロードが可能か否かを判定し、判定結果を前記ディスプレイに表示させるものである。
従って、ダウンロードが可能か否かまでを判定してユーザーに表示するので、ユーザーが計算をしてダウンロード可能か否かを判断する必要がない。
【０００９】
請求項３に記載の発明においては、電子音楽装置における記憶領域検査方法において、Webサーバーからダウンロードするディジタルコンテンツを特定する情報、および、起動要求検出用の表示部品を含んだダウンロードページを表示するステップと、表示されている前記表示部品がユーザーにより選択操作されたときに、前記表示部品にリンクされた記憶領域検査用ファイルを前記Webサーバーからダウンロードするステップと、前記記憶領域検査用ファイルのダウンロードに応じて、前記記憶領域検査用ファイルに関連づけられた記憶領域検査プログラムを実行するステップと、前記記憶領域検査プログラムによって検査された当該電子音楽装置に内蔵およびまたは外付けされた記憶装置におけるディジタルコンテンツ記憶領域の空き容量およびまたは空きファイル数を表示するステップとを有するものである。
【発明の効果】
【００１０】
本発明は、ダウンロードしたいディジタルコンテンツを保存できるか否かが簡単に確認できるという効果を奏する。
【発明を実施するための最良の形態】
【００１１】
図１は、本発明の実施の一形態を説明するためのシステム構成図である。
図中、１は電子楽器などの電子音楽装置、２はインターネットプロトコルを用いて通信が行われるネットワーク、３はWebサーバー、４は電子音楽装置用のディジタルコンテンツが蓄積されているコンテンツ・データベース、５は電子音楽装置の内蔵記憶装置、６は電子音楽装置の外付け記憶装置である。
電子音楽装置１は、電子音楽装置の基本制御機能部に加えて、Webページの表示制御機能部、ダウンロード制御機能部、さらに、記憶領域（容量，数）検査機能部を有している。
【００１２】
電子音楽装置の基本機能制御部は、手動演奏、曲データの録音再生、楽音に対する効果付加、楽譜表示機能など、従来の電子音楽装置が持つ基本機能を制御する部分であるが、電子音楽装置の種類によって異なるものとなる。
電子音楽装置１は、Webページ表示制御機能部により、Webサーバー３のディジタルコンテンツ配信サービスのトップページにアクセスし、コンテンツ・データベース４に蓄積されたディジタルコンテンツの中から所望のディジタルコンテンツを検索し、ダウンロードページ３ａを取得し、これをディスプレイに表示させる。
ダウンロードするディジタルコンテンツとしては、曲データ、オーディオ（圧縮）波形データ、楽譜データ、音楽教習教本データ、音楽映像データ等がある。
【００１３】
電子音楽装置１は、ダウンロード制御機能部により、所望のディジタルコンテンツを指定してダウンロードを要求し、ディジタルコンテンツを内蔵記憶装置５または外付け記憶装置６にダウンロードさせる。
その際、上述したダウンロードページ３ａには、ダウンロードするディジタルコンテンツ名とともに、記憶領域（容量，数）検査プログラムを起動するための表示部品（ユーザーインターフェース部品）、例えば、ボタン３ｂを有している。このボタン３ｂには、後述する記憶領域（容量，数）検査用ファイル（Webサーバー内に記憶されている）へのリンクが設定されていて、ボタン３ｂを押すことで記憶領域（容量，数）検査用ファイルがダウンロードされる。
【００１４】
図２は、図１に示したダウンロードページおよび記憶領域（容量/数）検査画面の一具体例の説明図である。
図２（ａ）はダウンロードページの画面（ウインドウ画面）、図２（ｂ）はダウンロードページの画面の前面に表示される記憶領域（容量/数）検査画面（ウインドウ画面）を示す。ウインドウ画面に通常備わっているタイトルバー，メニューバー等の表示は省略している。
図２（ａ）において、３個のディジタルコンテンツ名（ａａａａ，ｂｂｂｂ，ｃｃｃｃ）とそのファイル容量（1MB，4MB，3MB）が示されている。ダウンロードすべきディジタルコンテンツの検査ボックス３ｃ，３ｄ，３ｅにチェックマークが入力されている。
【００１５】
ユーザーにより、例えば、第１，第３のディジタルコンテンツが選択されると、その都度、その情報がWebサーバーに転送される。Webサーバー３では、合計ファイル数と合計データ容量とを計算し、計算結果を電子音楽装置１に返送する。
図示の例では、ボタン３ｂの他に、ダウンロードを実行するための表示部品として、ボタン３ｆも表示される。
従って、Webページ表示制御機能部は、ダウンロードするディジタルコンテンツの候補を特定するディジタルコンテンツ名等と、ダウンロードするディジタルコンテンツを指定するチェックマークと、ディジタルコンテンツ記憶領域を検査する機能を起動するためのボタン３ｂ、選択されたディジタルコンテンツをダウンロードするためのボタン３ｆを含んだダウンロードページ３ａの情報を、Webサーバー３から取得し、このダウンロードページをディスプレイに表示させる機能を有している。
【００１６】
ユーザーがボタン３ｂを選択する操作をすると、ダウンロード制御機能部がWebサーバーから記憶領域（容量，数）検査用ファイルをダウンロードするのに応じて、記憶領域（容量，数）検査機能部を起動し、記憶領域（容量，数）検査機能部は、電子音楽装置１の内蔵記憶装置５および外付け記憶装置６の空き容量を検査して、検査結果をWebページ表示制御機能部により、ディスプレイに表示させる。
図２（ｂ）において、１１は記憶領域（容量，ファイル数）検査画面である。電子音楽装置１の内蔵記憶装置５、外付け記憶装置６、の空き記憶容量，空き記憶ファイル数を検査した結果が表示されている。
【００１７】
すなわち、内蔵記憶装置５であるＣドライブと、外付け記憶装置であるＤドライブについて、記憶されているファイル数と空き記憶容量とを検査した結果が表示されている。
この例では、各ドライブの最大許容ファイル数(例えば50個)が、記憶システムにおいて制限されている。
（最大許容ファイル数−現在のファイル数）として、空きファイル数が表示される。また、同様なやり方で、空き容量も表示される。
【００１８】
１１ａは検査結果のポップアップ表示を閉じるための閉じるボタンである。ユーザーがこのボタンを選択操作すれば、図２（ａ）に示した表示画面に戻る。
図２（ａ），図２（ｂ）に示した表示画面において、ユーザーがボタン３ｆを選択操作すると、電子音楽装置１がWebサーバー３にアクセスして、コンテンツ・データベース４に蓄積された所望のディジタルコンテンツを取得して、内蔵記憶装置５または外付け記憶装置６に記憶させる。
【００１９】
従って、ダウンロード制御機能部は、ユーザーによりボタン３ｂが選択操作されたときは、記憶領域（容量，数）検査機能部を起動し、この電子音楽装置１に内蔵された内蔵記憶装置５および外部接続された外付け記憶装置６のディジタルコンテンツ記憶領域の空き記憶容量およびまたは空き記憶ファイル数を検査させ、検査結果を取得して、上述したWebページ表示制御機能部により、ディスプレイに表示させる機能を有している。
【００２０】
ユーザーは、この表示をみて、選択したファイルをダウンロードしてＣドライブまたはＤドライブに記憶可能か否かを判断する。この例では、Ｃドライブにはまだ記憶できるが、Ｄドライブには記憶できないことがわかる。
従って、自動的にＣドライブが指定されて、選択したディジタルコンテンツをダウンロードする。ドライブに優先順序を予め設けておけば、ダウンロード可能な複数のドライブの中から、実際にダウンロードするドライブを自動指定できる。あるいは、ユーザーがドライブを指定できる入力フォーム（図示せず）をダウンロードページに含ませるようにしてもよい。
【００２１】
図３は、ダウンロードページの画面の前面に表示される記憶領域（容量/数）検査画面の第２の具体例の説明図である。
２１は、記憶領域（容量/数）検査画面であり、２１ａは閉じるボタンである。
この具体例では、ダウンロードが可能か否かを自動的に判定し、判定結果を記憶領域（容量/数）検査画面２１に表示する。図示の例では、DL可（ダウンロード可能），DL不可（ダウンロード不可能）が表示される。
そのために、ダウンロードするディジタルコンテンツのデータ容量およびまたはファイル数を、Webサーバー３から取得するディジタルコンテンツ属性取得機能部を有している。
【００２２】
ダウンロード制御機能部は、Webページ表示制御機能部により表示された図２（ａ）のボタン３ｂがユーザーにより選択操作されたときは、図２（ｂ）を参照して既に説明した記憶領域検査機能部を起動させて検査結果を取得するとともに、上述したディジタルコンテンツ属性取得機能部を機能させて、ディジタルコンテンツ属性取得機能部により取得される、ダウンロードするディジタルコンテンツのデータ容量およびまたはファイル数と上述した検査結果とを比較することにより、ダウンロードするディジタルコンテンツのダウンロードが可能か否かを判定し、その判定結果をWebページ表示制御機能部によりディスプレイに表示させる。
なお、ディジタルコンテンツ属性取得機能部は、チェックマーク入力に対して、Webサーバ３から、合計ファイル数と合計データ容量を返送してきたときに、ダウンロード制御機能部により起動されるようにしてもよい。
【００２３】
図４は、図１に示した本発明の実施の一形態を実施するために用いるハードウェア構成の一例を示すブロック構成図である。
図中、ROM（Read Only Memory）３４には、プログラムが記憶されており、RAM（Random Access Memory）３５にロードされる。RAM３５には、CPU（Central Processing Unit）３２のワーキングエリアが設けられる。CPU３２は、タイマ３３によって割込処理のタイミングを制御されながら、プログラムを実行し、電子音楽装置全体の制御を実行する。
【００２４】
図１〜図３を参照して説明した、電子音楽装置の基本機能制御部、Webページ表示制御機能部、ダウンロード制御機能部、記憶領域（容量，数）検査機能部、ディジタルコンテンツ属性取得機能部は、CPU３２がプログラムを実行することにより実現される。
例えば、プログラムは、機器組み込みシステム用OS（オペレーティングシステム）プログラム、電子音楽装置の基本機能制御用プログラム、Webブラウザプログラム、記憶領域（容量，数）検査プログラムで構成される。
電子音楽装置の基本機能制御部は、機器組み込みシステム用OSの管理下で、電子音楽装置用アプリケーションプログラムを実行することにより実現される。
【００２５】
Webページ表示制御機能部、ダウンロード制御機能部、ディジタルコンテンツ属性取得機能部は、機器組み込みシステム用OSの管理下で、Webブラウザプログラムを実行することにより実現される。
記憶領域（容量，数）検査機能部は、機器組み込みシステム用OSの管理下で、Webブラウザプログラムの機能拡張をするヘルパーアプリケーションとして実現される。すなわち、Webブラウザプログラム（ダウンロード制御機能）が、ボタン３ｂの選択操作を検出することにより、Webサーバーから記憶領域（容量，数）検査用ファイルをダウンロードし、該ファイルのダウンロードに応じてWebブラウザプログラムを補助するヘルパーアプリケーションとして記憶領域（容量，数）検査プログラムが起動する。
なお、記憶領域（容量，数）検査用ファイルには、特定のファイルタイプが設定されており、このファイルタイプのファイルがダウンロードされたときに記憶領域（容量，数）検査プログラムが起動するよう、予めWebブラウザプログラムに設定して関連づけておく。記憶領域（容量，数）検査用ファイル自体には特別な記述はなくてもよく、ファイルタイプが特定のタイプであればよい。
【００２６】
記憶領域（容量，数）検査プログラムは、機器組み込みシステム用OS（オペレーティングシステム）プログラムに対して、記憶領域（容量，数）の空き容量およびまたは空きファイル数の提供を要求し、これを取得し、Webブラウザプログラム（Webページ表示制御機能）に提供する。
【００２７】
鍵盤等の演奏操作子３６の入力操作は、検出回路３７により検出されて、演奏データをバス３１に入力する。
スイッチ等の設定操作子３８の入力操作は、検出回路３９により検出されて、音色等の音源パラメータの設定、曲データの選択、自動演奏動作の記録再生制御等をバス３１を介して指示する。
表示回路４０は、図２，図３に示したダウンロードページ３ａなどのWebページの他、音源パラメータ等の設定状態、記録再生制御状態、楽譜などをディスプレイ４１に出力する。
【００２８】
音源回路４２は、演奏データおよび音源パラメータ等を入力し、楽音信号をオーディオデータとして生成し効果回路４３に出力する。効果回路４３は、バス２１を通してエフェクト関連のパラメータ群を入力し、楽音波形信号に残響効果等の付加を行い、サウンドシステム４４に供給してスピーカから出力させる。
音源回路４２および効果回路４３は、専用のハードウェア、あるいは、DSPおよびマイクロプログラムを用いて構成したり、ソフトウェア音源プログラムによって、CPU３２が楽音波形信号を生成し、加えて、エフェクトを付加するようにしたりしてもよい。
また、演奏データおよび音源パラメータ等を後述するMIDIインターフェース４６を介して外務接続された外部音源に出力してもよい。
なお、楽音波形など、オーディオ波形データをスピーカから出力させる機能を有する場合は、バス３１から効果回路４３にオーディオデータを供給すればよい。
【００２９】
内蔵あるいは外付けされた記憶装置４５のうち、内蔵された記憶装置としては、HDD（Hard Disk Drive），半導体メモリ（フラッシュメモリ）装置がある。ただし、これらは、装着や取り外しが自在な記録媒体を備えた、外付けされた記憶装置である場合もある。その他、FD（Flexible Disk）、CD-ROM（Compact Disc Read Only Memory），DVD（Digital Versatile Disk）等の記録媒体に記録または再生するドライブ装置の場合もある。
ディジタルコンテンツのダウンロードは、内蔵記憶装置、あるいは、現在において記録媒体が装着されている外付け記憶装置に記憶され、RAM３５に読み出されて利用される。
【００３０】
４６はMIDIインターフェースであって、外部のMIDI機器４７をバス３１に接続する。USB，RS-232C，IEEE1394等の汎用インターフェースを用い、直結ケーブルあるいはLAN（Local Area Network）で接続してもよい。外部のMIDI機器４７としては、音源装置のようにMIDIデータを入力するものと、MIDI鍵盤のようにMIDIデータを出力するものがある。
４８は通信インターフェースであって、インターネット等のネットワーク４９を介して、サーバー（例えば、図１のWebサーバー３），コンピュータ５０に接続されて、電子音楽関係のディジタルコンテンツをダウンロードする。
【００３１】
その他、通信インターフェース４８を介して、サーバー，コンピュータ５０に、演奏データやオーディオ波形データをリアルタイムで送信したり、曲データファイルやオーディオ波形（圧縮）ファイルを送信したりすることもできる。
上述したMIDIインターフェース４６や通信インターフェース４８は、有線のものに限らず無線でもよく、また双方を備えていてもよい。
プログラムや処理に利用する各種データを外付けされる記憶装置の記録媒体から、あるいは、通信インターフェースを介してサーバーから供給してもよい。
【００３２】
図５は、図１に示した実施の一形態の動作例を説明するためのフローチャートである。
図示の動作例は、オペレーティングシステムの制御下でＳ６１〜Ｓ７４に示すWebブラウザのプログラムが実行され、このWebブラウザのプログラムから、記憶領域（容量/数）検査プログラムが起動されて、全体として電子音楽装置のダウンロード機能が実現されるものである。ユーザー認証や課金処理については説明を省略する。
インターネットに接続し、コンテンツプロバイダのWebサーバーにアクセスし、所望のディジタルコンテンツを検索したり、複数のディジタルコンテンツを「購入カート」に入れたりする。
【００３３】
その後、Ｓ６１において、WebサーバーのダウンロードページのURI（Uniform Resource Identifier）の指定とともにアクセスし、Ｓ６２において、ダウンロードページのデータを取得し、ディスプレイ４１に表示させる（図２（ａ）参照）。
この段階では、図２（ａ）の合計ファイル数と合計データ容量のところは、共に「０」と表示されている。
ユーザーは、ダウンロードしたいディジタルコンテンツのチェックボックス（図２の３ｃ〜３ｅ）をクリックする。
【００３４】
Ｓ６３において、ユーザーによるクリックを検出したときは、Ｓ６４において、クリックされたチェックボックスをチェック済み表示にし、Webサーバーに対し、検出結果とともにディジタルコンテンツの選択ファイル数とデータ容量の情報の提供を要求する。
Ｓ６６において、Webサーバーから、選択されたディジタルコンテンツの合計ファイル数と合計データ容量の情報を取得し、図４に示したディスプレイ４１に表示させる。
Ｓ６６において、ユーザーによるボタン３ｂ（図２（ａ））のクリックがあったときは、Ｓ６７において、Webサーバーから記憶領域（容量/数）検査用ファイルをダウンロードし、該ダウンロードに応じて記憶領域（容量/数）検査プログラムを起動させる。このクリックがなければ、Ｓ６８に処理を進める。
【００３５】
記憶領域（容量/数）検査プログラムのＳ８１において、内蔵あるいは外付けの記憶装置（図４の４５）における各ドライブの空きファイル数と空き容量を、電子音楽装置１のオペレーティングシステムに検査させる。
Ｓ８２において、その検査結果を取得し、図２（ｂ）に示すように、ダウンロードページの画面上に表示させる。Ｓ８３において、ユーザーによる閉じるボタン１１ａのクリックが検出されたときはＳ８４に処理を進め、検査結果を閉じ、Ｓ６８に処理を戻す。
【００３６】
Ｓ６８において、ダウンロードボタン３ｆ（図２（ａ）または図２（ｂ））のクリックがあったときは、Ｓ６９において、ディジタルコンテンツのダウンロードを開始する。記憶領域（容量/数）の検査結果の如何にかかわらず、ユーザーがダウンロードするか、しないかを自由に決めるようにしている。
Ｓ７１において、ダウンロードの完了を検出したときは、Ｓ７０において、ブラウザ終了のボタン（例えば、図示しない×印のボタン）のクリックがあったときは終了し、クリックがなければＳ６３に処理を戻す。
【００３７】
ここで、Ｓ６８，Ｓ７１，Ｓ７０，Ｓ６３の経路で、新たにチェックマークを付け替えることにより、ダウンロードしたいディジタルコンテンツを変更することができる。
一方、Ｓ７１において、ダウンロードが完了していないときは、Ｓ７２に処理を進め、ドライブ記憶領域の容量/ファイル数の制限に到達したときには、Ｓ７３においてダウンロード失敗の旨を警告する表示をさせ、そうでないときには、Ｓ７４においてダウンロードを継続させてＳ７１に処理を戻す。
【００３８】
なお、図３に示した記憶領域（容量/数）検査画面を表示させるには、Ｓ６６において取得された画面表示用データから、選択されたディジタルコンテンツのファイル数およびデータ容量の合計値を切り出して取得する。あるいは、Webサーバー３に対し、画面表示用データとは別に、これらの合計値の提供を要求して取得すればよい。
記憶領域（容量/数）検査プログラムは、取得した、選択されたディジタルコンテンツの選択ファイル数とデータ容量の合計値と、システム用OSから取得した検査結果とを比較することにより、ダウンロードするディジタルコンテンツのダウンロードが可能か否かを判定し、判定結果をディスプレイに表示させる。
【００３９】
上述した説明では、Webブラウザのプログラムと記憶領域（容量/数）検査プログラムとを分離した場合について説明したが、一元化してもよい。しかし、分離した場合は、Webブラウザプログラムを改変することなく、ダウンロードページに起動用の表示部品を挿入するだけで、記憶領域（容量/数）検査機能を持たせることができる。
また、機器組み込みオペレーティングシステムを用いることを前提として説明したが、プログラム全体を一元化してもよい。
【００４０】
なお、上述した説明では、電子音楽装置の記憶領域の、空きファイル数と空き容量の2つを検査している。
空きファイル数の検査の場合、ファイル数だけでなくフォルダ数も対象にしてもよい。また、ドライブ直下(ルートディレクトリ)のファイル数(やフォルダ数)だけでなく、ドライブ内のある特定のフォルダ(＝ディジタルコンテンツのダウンロード先として予め指定されたフォルダ)に関する数を検査してもよい。
空きファイル数(やフォルダ数)と空き容量のうち、一方の値が通常の使用範囲で制限を超えるおそれがない場合、制限を超えるおそれがある方だけを検査すればよい。
また、選択されたディジタルコンテンツを仮にダウンロードしたとすれば、空きファイル数や空き容量がどのようになるかを表示してもよい。
【００４１】
検査結果の表示は、図２（ｂ），図３に示したように、Webブラウザのダウンロードページの画面上に重ねて表示するものに限らない。表示画面上の任意の領域に(例えば、ずらせて)表示してもよい。
あるいは、ダウンロードページ画面の中に検査結果の表示を埋め込んだものを、新たなダウンロードページ画面として作成して表示させてもよい。
【００４２】
電子音楽装置の形態は、鍵盤楽器に限らず、弦楽器タイプ、管楽器タイプ、打楽器タイプ等の形態でもよい。自動演奏ピアノに適用してもよい。音源装置、自動演奏装置等を１つの本体に内蔵したものに限らず、それぞれが別体の装置であり、MIDIインターフェースや各種のネットワーク等を用いて各装置を接続するものであってもよい。
また、電子音楽装置の形態に限らず、カラオケ装置や、ゲーム装置、携帯電話等の携帯型通信端末など、ディジタルコンテンツの記憶領域に制約がある装置に適している。携帯型通信端末に適用した場合、端末のみで所定の機能が完結している場合に限らず、機能の一部をサーバー側に持たせ、端末とサーバーとからなるシステム全体として所定の機能を実現するようにしてもよい。
また、パーソナルコンピュータに電子音楽用アプリケーションプログラムをインストールした形態でも本発明を適用可能である。
【図面の簡単な説明】
【００４３】
【図１】本発明の実施の一形態を説明するためのシステム構成図である。
【図２】図１に示したダウンロードページおよび記憶領域（容量/数）検査画面の一具体例の説明図である。
【図３】ダウンロードページの画面の前面に表示される記憶領域（容量/数）検査画面の第２の具体例の説明図である。
【図４】図１に示した本発明の実施の一形態を実施するために用いるハードウェア構成の一例を示すブロック構成図である。
【図５】図１に示した実施の一形態の動作例を説明するためのフローチャートである。
【符号の説明】
【００４４】
１…電子音楽装置、２…ネットワーク、３…Webサーバー、３ａ…ダウンロードページ、３ｂ…記憶領域（容量/数）チェックボタン、４…コンテンツ・データベース
【図１】
2005195923.tif 000003
【図２】
2005195923.tif 000004
【図３】
2005195923.tif 000005
【図４】
2005195923.tif 000006
【図５】
2005195923.tif 000007